【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
式（Ｉ）〜（ＩＶ）および（ＶＩ）から成る群から選択される式の半導体重合体であって、
【化１】
2014518562.tif 000001
式中、Ｘ１、Ｘ２、Ｘ３、およびＸ４は独立してＯ、Ｓ、Ｓｅ、ＮＨ、およびＣＨ２から成る群から選択され、
Ｒ１、Ｒ２、Ｒ３、およびＲ４は、独立してＨ、アルキル、アルコキシ、アリール、アリールオキシ、ヘテロアリール、ヘテロアリールオキシ、架橋構造、およびオリゴ（エチレングリコール）から成る群から選択され、
Ｙ１、Ｙ２、Ｙ３、Ｙ４、Ｙ５、およびＹ６は独立してＯ、Ｓ、Ｓｅ、およびアミノから成る群から選択され、
Ｚは、エステル、ケトン、アミド、シアノ、アルキル、ポリフルオロアルキル、ポリクロロアルキル、アリール、およびヘテロアリールから成る群から選択され、
Ｚ１およびＺ２は、独立してＣＨおよびＮから成る群から選択され、
ＷはＨ、ハロゲン、シアノ、ジシアノビニル、およびトリシアノビニルから成る群から選択され、
ｎは０よりも大きな整数である、半導体重合体。
【請求項２】
式（Ｉ）〜（ＩＶ）から成る群から選択される式の半導体重合体であって、
【化２】
2014518562.tif 000002
式中、Ｘ１、Ｘ２、Ｘ３、およびＸ４は独立してＯ、Ｓ、Ｓｅ、ＮＨ、およびＣＨ２から成る群から選択され、
Ｒ１、Ｒ２、Ｒ３、およびＲ４は、独立してＨ、アルキル、アルコキシ、アリール、アリールオキシ、ヘテロアリール、ヘテロアリールオキシ、架橋構造、およびオリゴ（エチレングリコール）から成る群から選択され、
Ｙ１、Ｙ２、Ｙ３、Ｙ４、Ｙ５、およびＹ６は独立してＯ、Ｓ、Ｓｅ、およびアミノから成る群から選択され、
Ｚは、エステル、ケトン、アミド、シアノ、アルキル、ポリフルオロアルキル、ポリクロロアルキル、アリール、およびヘテロアリールから成る群から選択され、
Ｚ１およびＺ２は、独立してＣＨおよびＮから成る群から選択され、
ＷはＨ、ハロゲン、シアノ、ジシアノビニル、およびトリシアノビニルから成る群から選択され、
ｎは０よりも大きな整数である、半導体重合体。
【請求項３】
請求項２記載の半導体重合体であって、式（Ｉ）である半導体重合体。
【化３】
2014518562.tif 000003
【請求項４】
請求項２記載の半導体重合体であって、式（ＩＩ）である半導体重合体。
【化４】
2014518562.tif 000004
【請求項５】
請求項２記載の半導体重合体であって、式（ＩＩＩ）である半導体重合体。
【化５】
2014518562.tif 000005
【請求項６】
請求項２記載の半導体重合体であって、式（ＩＶ）である半導体重合体。
【化６】
2014518562.tif 000006
【請求項７】
式（Ｖ）の半導体重合体であって、
【化７】
2014518562.tif 000007
式中、Ｘ１およびＸ２は独立してＯ、Ｓ、Ｓｅ、ＮＨ、およびＣＨ２から成る群から選択され、
Ｒ１およびＲ２は、独立してＨ、アルキル、アルコキシ、アリール、アリールオキシ、ヘテロアリール、ヘテロアリールオキシ、架橋構造、およびオリゴ（エチレングリコール）から成る群から選択され、
Ｙ１およびＹ２は独立してＯ、Ｓ、Ｓｅ、およびアミノから成る群から選択され、
Ｙ３およびＹ４は独立してＯ、Ｓｅ、およびアミノから成る群から選択され、
Ｚは、エステル、ケトン、アミド、シアノ、アルキル、ポリフルオロアルキル、ポリクロロアルキル、アリール、およびヘテロアリールから成る群から選択され、
ＷはＨ、ハロゲン、シアノ、ジシアノビニル、およびトリシアノビニルから成る群から選択され、
ｎは０よりも大きな整数である、半導体重合体。
【請求項８】
請求項７記載の半導体重合体において、Ｘ１およびＸ２は独立してＯ、Ｓ、ＮＨ、およびＣＨ２から成る群から選択されるものである半導体重合体。
【請求項９】
請求項７〜８のいずれか１つに記載の半導体重合体において、Ｘ１およびＸ２は独立してＯである半導体重合体。
【請求項１０】
請求項７〜９のいずれか１つに記載の半導体重合体において、Ｒ１およびＲ２は独立してアルキルである半導体重合体。
【請求項１１】
請求項７〜１０のいずれか１つに記載の半導体重合体において、Ｒ１およびＲ２は独立してＣ１−３０アルキルである半導体重合体。
【請求項１２】
請求項７〜１１のいずれか１つに記載の半導体重合体において、Ｒ１とＲ２が同じである半導体重合体。
【請求項１３】
請求項７〜１１のいずれか１つに記載の半導体重合体において、Ｒ１およびＲ２の少なくとも１つが２−エチルヘキシルである半導体重合体。
【請求項１４】
請求項７〜１３のいずれか１つに記載の半導体重合体において、Ｙ１およびＹ２はＳである半導体重合体。
【請求項１５】
請求項７〜１３のいずれか１つに記載の半導体重合体において、Ｙ１およびＹ２はＳｅである半導体重合体。
【請求項１６】
請求項７〜１５のいずれか１つに記載の半導体重合体において、Ｙ３およびＹ４はＳｅである半導体重合体。
【請求項１７】
請求項７〜１６のいずれか１つに記載の半導体重合体において、Ｚはエステルである半導体重合体。
【請求項１８】
請求項７〜１７のいずれか１つに記載の半導体重合体において、Ｚは−Ｃ（Ｏ）ＯＣＨ２ＣＨ（Ｃ２Ｈ５）Ｃ４Ｈ９である半導体重合体。
【請求項１９】
請求項７〜１８のいずれか１つに記載の半導体重合体において、ＷはＨまたはハロゲンである半導体重合体。
【請求項２０】
請求項７〜１９のいずれか１つに記載の半導体重合体において、ＷはＦである半導体重合体。
【請求項２１】
請求項７記載の半導体重合体において、その化学式は
【化８】
2014518562.tif 000008
から成る群から選択され、
式中、Ｒ３は、Ｈ、アルキル、アルコキシ、アリール、アリールオキシ、ヘテロアリール、ヘテロアリールオキシ、架橋構造、およびオリゴ（エチレングリコール）から成る群から選択されるものである半導体重合体。
【請求項２２】
請求項２１記載の半導体重合体において、Ｒ１、Ｒ２、およびＲ３は独立してアルキルである半導体重合体。
【請求項２３】
請求項２１および２２のいずれか１つに記載の半導体重合体において、Ｒ１、Ｒ２、およびＲ３は独立して２−エチルヘキシルである半導体重合体。
【請求項２４】
請求項１記載の半導体重合体であって、式（ＶＩ）である半導体重合体。
【化９】
2014518562.tif 000009
【請求項２５】
請求項２４記載の半導体重合体において、Ｒ１およびＲ２は独立してＣ１−３０アルキルである半導体重合体。
【請求項２６】
請求項２４および２５のいずれか１つに記載の半導体重合体において、Ｒ１およびＲ２は独立して２−エチルヘキシルまたは２−ブチルヘキシルである半導体重合体。
【請求項２７】
請求項２４〜２６のいずれか１つに記載の半導体重合体において、Ｙ１、Ｙ２、Ｙ３、Ｙ４、Ｙ５、およびＹ６は独立してＳである半導体重合体。
【請求項２８】
請求項２４〜２７のいずれか１つに記載の半導体重合体において、Ｗはハロゲンである半導体重合体。
【請求項２９】
請求項２４〜２８のいずれか１つに記載の半導体重合体において、ＷはＦである半導体重合体。
【請求項３０】
請求項２４〜２９のいずれか１つに記載の半導体重合体において、Ｚはエステルである半導体重合体。
【請求項３１】
請求項２４〜３０のいずれか１つに記載の半導体重合体において、Ｚは−Ｃ（Ｏ）ＯＣＨ２ＣＨ（Ｃ２Ｈ５）Ｃ４Ｈ９および−Ｃ（Ｏ）ＯＣＨ２ＣＨ（Ｃ４Ｈ９）Ｃ６Ｈ１３から成る群から選択されるものである半導体重合体。
【請求項３２】
請求項２４記載の半導体重合体において、式ＰＴＤＢＤ１、ＰＴＤＢＤ２、およびＰＴ
ＤＢＤ３から成る群から選択されるものである半導体重合体。
【化１０】
2014518562.tif 000010
【請求項３３】
請求項１〜３２のいずれか１つに記載の半導体重合体において、前記重合体の数平均分子量が約１５〜約２５ｋＤａである半導体重合体。
【請求項３４】
請求項１〜３２のいずれか１つに記載の半導体重合体において、ｎが約１〜約２００である半導体重合体。
【請求項３５】
請求項１〜３２のいずれか１つに記載の半導体重合体において、多分散指数が約１．５〜約３である半導体重合体。
【請求項３６】
請求項１〜３５のいずれか１つに記載の半導体重合体および電子吸引性フラーレン誘導体を有する組成物。
【請求項３７】
請求項３６記載の組成物において、前記電子吸引性フラーレン誘導体が［６，６］−フェニル−Ｃ６１−酪酸メチルエステルおよび［６，６］−フェニル−Ｃ７１−酪酸メチルエステルから成る群から選択されるものである組成物。
【請求項３８】
太陽電池、光学素子、エレクトロルミネセント素子、光電池、半導体電池、またはフォトダイオードにおける請求項１〜３５のいずれか１つに記載の半導体重合体または請求項３６及び３７のいずれか１つに記載の組成物の使用。
【手続補正２】
【補正対象書類名】明細書
【補正対象項目名】０００６
【補正方法】変更
【補正の内容】
【０００６】
太陽光変換効率の上昇を示す重合体太陽電池の分野で需要がある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２０１０／００８６７２号
（特許文献２）  国際公開第２０１０／０２０３２９号
（特許文献３）  米国特許出願公開第２００８／０１０２５５９号明細書